(57)【要約】【課題】印刷動作が連続して行われた場合の印刷物の仕分けを簡単にすることができるようにしたネットワーク画像形成装置を提供することを目的とする。【解決手段】ネットワーク複合機での印刷動作が連続する場合、後続の印刷動作にかかる用紙サイズと記録方向が、最初の印刷動作にかかる用紙サイズと記録方向と一致しているときには、ドギーテイル機能を利用して後続の印刷動作にかかる記録紙を排紙するとともに、指定された位置に個人情報を記録するようにしているので、印刷物を受け取りにきたユーザは、自分が指定した印刷動作に関する印刷物を容易に見つけることができ、非常に便利であるという効果を得る。【選択図】          図２
2005025585.tif 000002
【特許請求の範囲】
【請求項１】
ネットワークに接続し、ネットワークを介して他の端末装置より印刷データを受信すると、その受信した印刷データの内容を記録した記録物を形成して排出するネットワーク画像形成装置において、
上記記録物を排出する際、その排出位置を、排出方向とは直行する方向に所定距離変位させるドギーテイル機能を備え、
用紙サイズが同一で記録方向が同一の印刷動作が連続する場合、上記ドギーテイル機能を用いて記録物を排出するとともに、上記他の端末装置より受信した個人情報を、指定された位置に付加して記録するようにしたことを特徴とするネットワーク画像形成装置。
【請求項２】
ネットワークに接続し、ネットワークを介して他の端末装置より印刷データを受信すると、その受信した印刷データの内容を記録した記録物を形成して排出するネットワーク画像形成装置において、
上記記録物を排出する際、その排出位置を、排出方向とは直行する方向に所定距離変位させるドギーテイル機能を備え、
用紙サイズが同一で記録方向が同一の印刷動作が連続する場合で、かつ、排出された記録紙が排出部に残っている場合、上記ドギーテイル機能を用いて記録物を排出するとともに、上記他の端末装置より受信した個人情報を、指定された位置に付加して記録するようにしたことを特徴とするネットワーク画像形成装置。
【請求項３】
ネットワークに接続し、ネットワークを介して他の端末装置より印刷データを受信すると、その受信した印刷データの内容を記録した記録物を形成して排出するネットワーク画像形成装置において、
上記記録物を排出する際、その排出位置を、排出方向とは直行する方向に所定距離変位させるドギーテイル機能を備え、
用紙サイズが同一で記録方向が同一の印刷動作が、最初の印刷動作が終了してから所定時間を経過した後に連続する場合、上記ドギーテイル機能を用いて記録物を排出するとともに、上記他の端末装置より受信した個人情報を、指定された位置に付加して記録するようにしたことを特徴とするネットワーク画像形成装置。
【請求項４】
ネットワークに接続し、ネットワークを介して他の端末装置より印刷データを受信すると、その受信した印刷データの内容を記録した記録物を形成して排出するネットワーク画像形成装置において、
上記記録物を排出する際、その排出位置を、排出方向とは直行する方向に所定距離変位させるドギーテイル機能を備え、
用紙サイズが同一で記録方向が同一の印刷動作が、最初の印刷動作が終了してから所定時間を経過した後に連続する場合で、かつ、排出された記録紙が排出部に残っている場合、上記ドギーテイル機能を用いて記録物を排出するとともに、上記他の端末装置より受信した個人情報を、指定された位置に付加して記録するようにしたことを特徴とするネットワーク画像形成装置。
【請求項５】
記録紙の両面に印刷する両面印刷機能をさらに備え、前記個人情報は、裏面に記録することを特徴とする請求項１または請求項２または請求項３または請求項４記載のネットワーク画像形成装置。
【請求項６】
ネットワークに接続し、ネットワークを介して他の端末装置より印刷データを受信すると、その受信した印刷データの内容を記録した記録物を形成して排出するネットワーク画像形成装置において、
用紙サイズが同一で記録方向が同一の印刷動作が連続する場合、後続する印刷動作の印刷物は、記録方向を９０度偏向しかつ記録紙の向きを同一方向に９０度偏向した態様に印刷データを記録するとともに、上記他の端末装置より受信した個人情報を、指定された位置に付加して記録するようにしたことを特徴とするネットワーク画像形成装置。
【請求項７】
ネットワークに接続し、ネットワークを介して他の端末装置より印刷データを受信すると、その受信した印刷データの内容を記録した記録物を形成して排出するネットワーク画像形成装置において、
用紙サイズが同一で記録方向が同一の印刷動作が連続する場合、記録方向を９０度偏向しかつ記録紙の向きを同一方向に９０度偏向した態様に印刷データを記録するとともに、上記他の端末装置より受信した個人情報を、指定された位置に付加して記録するようにしたことを特徴とするネットワーク画像形成装置。
【請求項８】
ネットワークに接続し、ネットワークを介して他の端末装置より印刷データを受信すると、その受信した印刷データの内容を記録した記録物を形成して排出するネットワーク画像形成装置において、
用紙サイズが同一で記録方向が同一の印刷動作が、最初の印刷動作が終了してから所定時間を経過した後に連続する場合、記録方向を９０度偏向しかつ記録紙の向きを同一方向に９０度偏向した態様に印刷データを記録するとともに、上記他の端末装置より受信した個人情報を、指定された位置に付加して記録するようにしたことを特徴とするネットワーク画像形成装置。
【請求項９】
ネットワークに接続し、ネットワークを介して他の端末装置より印刷データを受信すると、その受信した印刷データの内容を記録した記録物を形成して排出するネットワーク画像形成装置において、
用紙サイズが同一で記録方向が同一の印刷動作が、最初の印刷動作が終了してから所定時間を経過した後に連続する場合で、かつ、排出された記録紙が排出部に残っている場合、記録方向を９０度偏向しかつ記録紙の向きを同一方向に９０度偏向した態様に印刷データを記録するとともに、上記他の端末装置より受信した個人情報を、指定された位置に付加して記録するようにしたことを特徴とするネットワーク画像形成装置。
【請求項１０】
記録紙の両面に印刷する両面印刷機能をさらに備え、前記個人情報は、裏面に記録することを特徴とする請求項６または請求項７または請求項８または請求項９記載のネットワーク画像形成装置。
【発明の詳細な説明】
【０００１】
【発明の属する技術分野】
本発明は、ネットワークに接続し、ネットワークを介して他の端末装置より印刷データを受信すると、その受信した印刷データの内容を記録した記録物を形成して排出するネットワーク画像形成装置に関する。
【０００２】
【従来の技術】
近年、ネットワークに接続し、ネットワークを介して他の端末装置より印刷データを受信すると、その受信した印刷データの内容を記録した記録物を形成して排出するネットワークプリンタ装置やネットワーク複合機などのネットワーク画像形成装置が実用されている。
【０００３】
このようなネットワーク画像形成装置を利用すると、ネットワークを利用する複数のユーザが共通のネットワーク画像形成装置を用いて印刷物を記録出力することができるので、リソースの共有の面で非常に有利である（特許文献１参照）。
【０００４】
【特許文献１】
特開２００２−１７８５６７号公報
【０００５】
【発明が解決しようとする課題】
ところで、このようにネットワーク画像形成装置は、複数のユーザが共用するものであるため、それぞれのユーザからの印刷動作が連続して行われた場合、その印刷動作で適用される用紙サイズが同一であると、印刷物の仕分けに苦労するという事態を生じるおそれがある。
【０００６】
本発明はこのような実情に鑑みてなされたものであり、印刷動作が連続して行われた場合の印刷物の仕分けを簡単にすることができるようにしたネットワーク画像形成装置を提供することを目的とする。
【０００７】
【課題を解決するための手段】
本発明は、ネットワークに接続し、ネットワークを介して他の端末装置より印刷データを受信すると、その受信した印刷データの内容を記録した記録物を形成して排出するネットワーク画像形成装置において、上記記録物を排出する際、その排出位置を、排出方向とは直行する方向に所定距離変位させるドギーテイル機能を備え、用紙サイズが同一で記録方向が同一の印刷動作が連続する場合、上記ドギーテイル機能を用いて記録物を排出するとともに、上記他の端末装置より受信した個人情報を、指定された位置に付加して記録するようにしたものである。
【０００８】
また、ネットワークに接続し、ネットワークを介して他の端末装置より印刷データを受信すると、その受信した印刷データの内容を記録した記録物を形成して排出するネットワーク画像形成装置において、上記記録物を排出する際、その排出位置を、排出方向とは直行する方向に所定距離変位させるドギーテイル機能を備え、用紙サイズが同一で記録方向が同一の印刷動作が連続する場合で、かつ、排出された記録紙が排出部に残っている場合、上記ドギーテイル機能を用いて記録物を排出するとともに、上記他の端末装置より受信した個人情報を、指定された位置に付加して記録するようにしたものである。
【０００９】
また、ネットワークに接続し、ネットワークを介して他の端末装置より印刷データを受信すると、その受信した印刷データの内容を記録した記録物を形成して排出するネットワーク画像形成装置において、上記記録物を排出する際、その排出位置を、排出方向とは直行する方向に所定距離変位させるドギーテイル機能を備え、用紙サイズが同一で記録方向が同一の印刷動作が、最初の印刷動作が終了してから所定時間を経過した後に連続する場合、上記ドギーテイル機能を用いて記録物を排出するとともに、上記他の端末装置より受信した個人情報を、指定された位置に付加して記録するようにしたものである。
【００１０】
また、ネットワークに接続し、ネットワークを介して他の端末装置より印刷データを受信すると、その受信した印刷データの内容を記録した記録物を形成して排出するネットワーク画像形成装置において、上記記録物を排出する際、その排出位置を、排出方向とは直行する方向に所定距離変位させるドギーテイル機能を備え、用紙サイズが同一で記録方向が同一の印刷動作が、最初の印刷動作が終了してから所定時間を経過した後に連続する場合で、かつ、排出された記録紙が排出部に残っている場合、上記ドギーテイル機能を用いて記録物を排出するとともに、上記他の端末装置より受信した個人情報を、指定された位置に付加して記録するようにしたものである。また、記録紙の両面に印刷する両面印刷機能をさらに備え、前記個人情報は、裏面に記録するようにしたものである。
【００１１】
また、ネットワークに接続し、ネットワークを介して他の端末装置より印刷データを受信すると、その受信した印刷データの内容を記録した記録物を形成して排出するネットワーク画像形成装置において、用紙サイズが同一で記録方向が同一の印刷動作が連続する場合、後続する印刷動作の印刷物は、記録方向を９０度偏向しかつ記録紙の向きを同一方向に９０度偏向した態様に印刷データを記録するとともに、上記他の端末装置より受信した個人情報を、指定された位置に付加して記録するようにしたものである。
【００１２】
また、ネットワークに接続し、ネットワークを介して他の端末装置より印刷データを受信すると、その受信した印刷データの内容を記録した記録物を形成して排出するネットワーク画像形成装置において、用紙サイズが同一で記録方向が同一の印刷動作が連続する場合、記録方向を９０度偏向しかつ記録紙の向きを同一方向に９０度偏向した態様に印刷データを記録するとともに、上記他の端末装置より受信した個人情報を、指定された位置に付加して記録するようにしたものである。
【００１３】
また、ネットワークに接続し、ネットワークを介して他の端末装置より印刷データを受信すると、その受信した印刷データの内容を記録した記録物を形成して排出するネットワーク画像形成装置において、用紙サイズが同一で記録方向が同一の印刷動作が、最初の印刷動作が終了してから所定時間を経過した後に連続する場合、記録方向を９０度偏向しかつ記録紙の向きを同一方向に９０度偏向した態様に印刷データを記録するとともに、上記他の端末装置より受信した個人情報を、指定された位置に付加して記録するようにしたものである。
【００１４】
また、ネットワークに接続し、ネットワークを介して他の端末装置より印刷データを受信すると、その受信した印刷データの内容を記録した記録物を形成して排出するネットワーク画像形成装置において、用紙サイズが同一で記録方向が同一の印刷動作が、最初の印刷動作が終了してから所定時間を経過した後に連続する場合で、かつ、排出された記録紙が排出部に残っている場合、記録方向を９０度偏向しかつ記録紙の向きを同一方向に９０度偏向した態様に印刷データを記録するとともに、上記他の端末装置より受信した個人情報を、指定された位置に付加して記録するようにしたものである。また、記録紙の両面に印刷する両面印刷機能をさらに備え、前記個人情報は、裏面に記録するようにしたものである。
【００１５】
【発明の実施の形態】
以下、添付図面を参照しながら、本発明の実施の形態を詳細に説明する。
【００１６】
図１は、本発明の一実施例にかかるネットワークシステムを示している。
【００１７】
同図において、ローカルエリアネットワークＬＡＮには、複数のワークステーション装置ＷＳ１〜ＷＳｎ、および、ネットワーク複合機ＭＦＰが接続されている。
【００１８】
また、ワークステーション装置ＷＳ１〜ＷＳｎには、文書作成および文書印刷の機能を備えた文書処理ソフトウェア、および、ローカルエリアネットワークＬＡＮを介してネットワーク複合機ＭＦＰを適宜に使用するためのドライバソフトウェアなどの種々のプログラムが導入されており、特定のユーザにより使用されるものである。ここで、特定のユーザは、一人または複数人のユーザであってよい。
【００１９】
また、ネットワーク複合機ＭＦＰは、ローカルエリアネットワークＬＡＮを介して、ワークステーション装置ＷＳ１〜ＷＳｎから要求される文書印刷ジョブを処理するネットワークプリンタ機能、および、読み取った原稿画像を記録出力する複写機能等の種々の機能を備えている。
【００２０】
図２は、ネットワーク複合機ＭＦＰの構成例を示している。
【００２１】
同図において、システム制御部１は、このネットワーク複合機ＭＦＰの各部の制御処理、および、ネットワーク通信機能処理などの各種制御処理を行うものであり、システムメモリ２は、システム制御部１が実行する制御処理プログラム、および、処理プログラムを実行するときに必要な各種データなどを記憶するとともに、システム制御部１のワークエリアを構成するものであり、パラメータメモリ３は、このネットワーク複合機ＭＦＰに固有な各種の情報を記憶するためのものであり、時計回路４は、現在時刻情報を出力するものである。
【００２２】
スキャナ５は、所定の解像度で原稿画像を読み取るためのものであり、プロッタ６は、所定の解像度で画像を記録出力するためのものである。また、プロッタ６は、用紙の両面に画像を記録する両面画像機能、用紙を左右に振り分けて排紙するドギーテイル機能（図３参照）を備えるとともに、排出された用紙が排紙トレイ（図示略）に残っていることを検出する機能も備えている。また、操作表示部７は、このネットワーク複合機ＭＦＰを操作するためのもので、各種の操作キー、および、各種の表示器からなる。なお、ドギーテイル機能による排出位置の切換は、印刷ジョブ単位に行われる。また、ドギーテイル機能は、例えば、排出搬送路中に、用紙を左右方向へ偏向する手段を設けることで実現することができる。
【００２３】
画像処理部８は、記録画像の回転処理や、変倍処理等の種々の画像処理を行うためのものであり、画像蓄積装置９は、画像データを蓄積するためのものである。
【００２４】
ローカルエリアネットワークインターフェース回路１０は、このネットワーク複合機ＭＦＰをローカルエリアネットワークＬＡＮに接続するためのものであり、ローカルエリアネットワーク伝送制御部１３は、ローカルエリアネットワークＬＡＮを介して、他のデータ端末装置との間で種々のデータをやりとりするための各種所定のプロトコルスイートの通信制御処理を実行するためのものである。
【００２５】
これらの、システム制御部１、システムメモリ２、パラメータメモリ３、時計回路４、スキャナ５、プロッタ６、操作表示部７、画像処理部８、画像蓄積装置９、および、ローカルエリアネットワーク伝送制御部１１は、内部バス１２に接続されており、これらの各要素間でのデータのやりとりは、主としてこの内部バス１２を介して行われている。
【００２６】
ここで、本実施例において、基本的には、ローカルエリアネットワークＬＡＮに接続されている端末相互間でのデータのやりとりは、いわゆるＴＣＰ／ＩＰと呼ばれるトランスポートレイヤまでの伝送プロトコルと、それ以上の上位レイヤの通信プロトコルとの組み合わせ（いわゆるプロトコルスイート）が適用して行われる。
【００２７】
本実施例では、ネットワーク複合機ＭＦＰで印刷動作が連続する際、印刷物の仕分けを容易にするために、印刷動作を指示したユーザの個人情報を、印刷物の指定位置に記録することができる。
【００２８】
その場合、個人情報を付加するか否か、個人情報の記録位置、および、個人情報の内容はユーザが指定することができる。そのために、例えば、ワークステーション装置ＷＳ１〜ＷＳｎの文書処理アプリケーションが印刷時に使用するプリンタドライバの画面で、図４（ａ）に示すような設定画面を表示して、ユーザに対し、個人情報を付加するか否かの指定、付加する場合、表面に付加するかあるいは裏面に付加するかの指定、付加する場合の位置（「左上」、「中央上」、「右上」、「左下」、「中央下」、「右下」）の指定、および、個人情報の内容を指定することができる。
【００２９】
また、個人情報の内容としては、ワークステーション装置ＷＳ１〜ＷＳｎのシステムに登録されているユーザ名を適用することができるとともに、この設定画面においてユーザが任意に書き換えることができるようにする。
【００３０】
また、個人情報の付加位置は、同図（ｂ）に示すように、用紙の上端部または下端部である。
【００３１】
そして、プリンタドライバは、ネットワーク複合機ＭＦＰに対して印刷を要求する場合、図５（ａ）に示すような個人情報付加設定情報を送信する。この個人情報付加設定情報は、図４（ａ）の設定画面おいて指定された内容に対応しており、個人情報を付加するか否かの指定をするための個人情報付加フラグ、個人情報の付加位置を指定するための個人情報付加位置情報、および、個人情報の内容を指定するための個人情報表示情報からなる。
【００３２】
また、ネットワーク複合機ＭＦＰは、印刷動作を管理するために１つの印刷動作を終了すると、図５（ｂ）に示したような直前印刷履歴情報を作成して保存し、連続する印刷動作の排出処理を管理する（後述）。
【００３３】
以上の構成で、ワークステーション装置ＷＳ１〜ＷＳｎは、ネットワーク複合機ＭＦＰに対して印刷動作を要求する場合、図６に示すような処理を行う。
【００３４】
まず、ネットワーク複合機ＭＦＰへ印刷動作を要求し（処理１０１）、上述した設定画面で入力された個人情報付加設定情報をネットワーク複合機ＭＦＰへ送信する（処理１０２）。
【００３５】
次いで、文書処理アプリケーションから出力される印刷情報に基づいてネットワーク複合機ＭＦＰの印刷データを作成し、作成した印刷データをローカルエリアネットワークＬＡＮを介してネットワーク複合機ＭＦＰへ送信する（処理１０３）。
【００３６】
これにより、ネットワーク複合機ＭＦＰは、受信した印刷データの印刷動作を行い、その印刷結果をワークステーション装置ＷＳ１〜ＷＳｎへ通知する。
【００３７】
したがって、次に、ネットワーク複合機ＭＦＰより印刷結果を受信し、印刷結果をユーザに表示して（処理１０４）、一連の動作を終了する。
【００３８】
図７は、ネットワーク複合機ＭＦＰが印刷時に行う処理の一例を示している。
【００３９】
いずれかのワークステーション装置ＷＳ１〜ＷＳｎより印刷要求を受信すると（処理２０１）、続いて、個人情報付加設定情報と、印刷データを受信する（処理２０２，２０３）。
【００４０】
ここで、記憶している直前印刷履歴情報を取得して（処理２０４）、処理２０３で受信した印刷データで指定されている用紙のサイズと記録方向（「横長」または「縦長」）と、直前印刷履歴情報の用紙サイズと記録方向が一致するかどうかを調べる（判断２０５）。
【００４１】
判断２０５の結果がＹＥＳになるときには、指定された印刷用紙を選択し（処理２０６）、受信した個人情報付加設定情報で個人情報を付加する旨が指定されているかどうかを調べる（判断２０７）。
【００４２】
判断２０７の結果がＹＥＳになるときには、受信した印刷データについての印刷動作を行うとともに、指定された位置に、個人情報の表示情報を印刷するとともに、記録紙の排紙時には、ドギーテイル機能を適用して、排紙位置を、直前の印刷物の排紙位置から変位させる（処理２０８）。
【００４３】
そして、そのときの印刷結果をワークステーション装置ＷＳ１〜ＷＳｎへ通知し（処理２０９）、そのときの印刷動作の内容で、直前印刷履歴情報の内容を更新して（処理２１０）、一連の印刷動作を終了する。
【００４４】
また、判断２０７の結果がＮＯになるときには、受信した印刷データについての印刷動作を行とともに、記録紙の排紙時には、ドギーテイル機能を適用して、直前の印刷物の排紙位置から変位させる（処理２１１）。次いで、処理２０９へ進み、それ以降の処理を実行する。
【００４５】
また、判断２０５の結果がＮＯになるときには、指定された印刷用紙を選択し（処理２１２）、受信した印刷データを記録出力する（処理２１３）。次いで、次いで、処理２０９へ進み、それ以降の処理を実行する。
【００４６】
このようにして、本実施例では、ネットワーク複合機ＭＦＰでの印刷動作が連続する場合、後続の印刷動作にかかる用紙サイズと記録方向が、最初の印刷動作にかかる用紙サイズと記録方向と一致しているときには、ドギーテイル機能を利用して後続の印刷動作にかかる記録紙を排紙するとともに、指定された位置に個人情報を記録するようにしているので、印刷物を受け取りにきたユーザは、自分が指定した印刷動作に関する印刷物を容易に見つけることができ、非常に便利である。
【００４７】
図８は、ネットワーク複合機ＭＦＰが印刷時に行う処理の他の例を示している。
【００４８】
いずれかのワークステーション装置ＷＳ１〜ＷＳｎより印刷要求を受信すると（処理３０１）、続いて、個人情報付加設定情報と、印刷データを受信する（処理３０２，３０３）。
【００４９】
ここで、記憶している直前印刷履歴情報を取得して（処理３０４）、処理３０３で受信した印刷データで指定されている用紙のサイズと記録方向（「横長」または「縦長」）と、直前印刷履歴情報の用紙サイズと記録方向が一致するかどうかを調べる（判断３０５）。
【００５０】
判断３０５の結果がＹＥＳになるときには、プロッタ６の排紙部に用紙が検出されているかどうかを調べる（判断３０６）。判断３０６の結果がＹＥＳになるときには、指定された印刷用紙を選択し（処理３０７）、受信した個人情報付加設定情報で個人情報を付加する旨が指定されているかどうかを調べる（判断３０８）。
【００５１】
判断３０８の結果がＹＥＳになるときには、受信した印刷データについての印刷動作を行うとともに、指定された位置に、個人情報の表示情報を印刷するとともに、記録紙の排紙時には、ドギーテイル機能を適用して、排紙位置を、直前の印刷物の排紙位置から変位させる（処理３０９）。
【００５２】
そして、そのときの印刷結果をワークステーション装置ＷＳ１〜ＷＳｎへ通知し（処理３１０）、そのときの印刷動作の内容で、直前印刷履歴情報の内容を更新して（処理３１１）、一連の印刷動作を終了する。
【００５３】
また、判断３０８の結果がＮＯになるときには、受信した印刷データについての印刷動作を行とともに、記録紙の排紙時には、ドギーテイル機能を適用して、直前の印刷物の排紙位置から変位させる（処理３１２）。次いで、処理３１０へ進み、それ以降の処理を実行する。
【００５４】
また、判断３０５の結果がＮＯになるとき、および、判断３０６の結果がＮＯになるときには、指定された印刷用紙を選択し（処理３１３）、受信した印刷データを記録出力する（処理３１４）。次いで、次いで、処理３１０へ進み、それ以降の処理を実行する。
【００５５】
このようにして、本実施例では、ネットワーク複合機ＭＦＰでの印刷動作が連続する場合、後続の印刷動作にかかる用紙サイズと記録方向が、最初の印刷動作にかかる用紙サイズと記録方向と一致しており、かつ、排紙部に用紙が検出されているときには、ドギーテイル機能を利用して後続の印刷動作にかかる記録紙を排紙するとともに、指定された位置に個人情報を記録するようにしているので、印刷物を受け取りにきたユーザは、自分が指定した印刷動作に関する印刷物を容易に見つけることができ、非常に便利である。
【００５６】
ところで、ネットワーク複合機ＭＦＰ側で、上述したような仕分けおよび個人情報の付加動作を行う際のインターバル時間を設定可能にすることもできる。その場合、例えば、図４（ｃ）に示したようなインターバル時間設定画面により、インターバル時間を設定登録させておく。
【００５７】
図９は、ネットワーク複合機ＭＦＰが印刷時に行う処理のさらに他の例を示している。なお、インターバルタイマは、印刷動作が終了した時点で起動されるタイマである（後述）。
【００５８】
いずれかのワークステーション装置ＷＳ１〜ＷＳｎより印刷要求を受信すると（処理４０１）、続いて、個人情報付加設定情報と、印刷データを受信する（処理４０２，４０３）。
【００５９】
ここで、インターバルタイマの計時値が、設定値以上になっているかどうかを調べる（判断４０４）。
【００６０】
判断４０４の結果がＹＥＳになるときには、記憶している直前印刷履歴情報を取得して（処理４０５）、処理４０３で受信した印刷データで指定されている用紙のサイズと記録方向（「横長」または「縦長」）と、直前印刷履歴情報の用紙サイズと記録方向が一致するかどうかを調べる（判断４０６）。
【００６１】
判断４０６の結果がＹＥＳになるときには、プロッタ６の排紙部に用紙が検出されているかどうかを調べる（判断４０７）。判断４０７の結果がＹＥＳになるときには、指定された印刷用紙を選択し（処理４０８）、受信した個人情報付加設定情報で個人情報を付加する旨が指定されているかどうかを調べる（判断４０９）。
【００６２】
判断４０９の結果がＹＥＳになるときには、受信した印刷データについての印刷動作を行うとともに、指定された位置に、個人情報の表示情報を印刷するとともに、記録紙の排紙時には、ドギーテイル機能を適用して、排紙位置を、直前の印刷物の排紙位置から変位させる（処理４１０）。
【００６３】
そして、そのときの印刷結果をワークステーション装置ＷＳ１〜ＷＳｎへ通知し（処理４１１）、そのときの印刷動作の内容で、直前印刷履歴情報の内容を更新し（処理４１２）、インターバルタイマを起動し（処理４１３）、一連の印刷動作を終了する。
【００６４】
また、判断４０９の結果がＮＯになるときには、受信した印刷データについての印刷動作を行とともに、記録紙の排紙時には、ドギーテイル機能を適用して、直前の印刷物の排紙位置から変位させる（処理４１４）。次いで、処理４１１へ進み、それ以降の処理を実行する。
【００６５】
また、判断４０４の結果がＮＯになるとき、判断４０６の結果がＮＯになるとき、および、判断４０７の結果がＮＯになるときには、指定された印刷用紙を選択し（処理４１５）、受信した印刷データを記録出力する（処理４１６）。次いで、次いで、処理４１１へ進み、それ以降の処理を実行する。
【００６６】
このようにして、本実施例では、ネットワーク複合機ＭＦＰでの印刷動作が連続する場合、後続の印刷動作までの時間が指定されたインターバル時間よりも長く、かつ、後続の印刷動作にかかる用紙サイズと記録方向が、最初の印刷動作にかかる用紙サイズと記録方向と一致しており、かつ、排紙部に用紙が検出されているときには、ドギーテイル機能を利用して後続の印刷動作にかかる記録紙を排紙するとともに、指定された位置に個人情報を記録するようにしているので、印刷物を受け取りにきたユーザは、自分が指定した印刷動作に関する印刷物を容易に見つけることができ、非常に便利である。
【００６７】
また、ネットワーク複合機ＭＦＰでの印刷動作が連続する場合で、後続の印刷動作までの時間が指定されたインターバル時間よりも短い場合には、同一ユーザが連続して印刷要求した場合が考えられるので、このような場合には通常の印刷動作を行う。
【００６８】
ところで、上述した実施例では、ドギーテイル機能を利用して排紙位置を切換えることで、印刷ジョブを仕分けるようにしているが、同様の効果を、回転排出機能を利用しても実現することができる。
【００６９】
この回転排出機能は、図１０に示すように、用紙の方向が横長方向になり、かつ、印刷方向が縦長になるような排出態様である。これを実現するには、例えば、図示のｉ番目の文書と同一の用紙サイズおよび用紙方向の用紙に記録したものを機械的に９０度変更する方法、および、用紙方向が横長の用紙に対して、９０度回転して記録データを記録する方向がある。
【００７０】
本実施例では、後者の方法を採用し、記録データの回転は、画像処理部８により行う。
【００７１】
図１１は、この場合に、ネットワーク複合機ＭＦＰが印刷時に行う処理の一例を示している。
【００７２】
いずれかのワークステーション装置ＷＳ１〜ＷＳｎより印刷要求を受信すると（処理５０１）、続いて、個人情報付加設定情報と、印刷データを受信する（処理５０２，５０３）。
【００７３】
ここで、記憶している直前印刷履歴情報を取得して（処理５０４）、処理５０３で受信した印刷データで指定されている用紙のサイズと記録方向（「横長」または「縦長」）と、直前印刷履歴情報の用紙サイズと記録方向が一致するかどうかを調べる（判断５０５）。
【００７４】
判断５０５の結果がＹＥＳになるときには、指定された印刷用紙を９０度回転した態様の印刷用紙を選択し（処理５０６）、受信した個人情報付加設定情報で個人情報を付加する旨が指定されているかどうかを調べる（判断５０７）。
【００７５】
判断５０７の結果がＹＥＳになるときには、受信した印刷データを９０度回転した態様の印刷動作を行うとともに、指定された位置に、個人情報の表示情報を印刷する（この印刷も９０度回転した態様となる）（処理５０８）。
【００７６】
そして、そのときの印刷結果をワークステーション装置ＷＳ１〜ＷＳｎへ通知し（処理５０９）、そのときの印刷動作の内容で、直前印刷履歴情報の内容を更新して（処理５１０）、一連の印刷動作を終了する。
【００７７】
また、判断５０７の結果がＮＯになるときには、受信した印刷データを９０度回転した態様の印刷動作を行う（処理５１１）。次いで、処理５０９へ進み、それ以降の処理を実行する。
【００７８】
また、判断５０５の結果がＮＯになるときには、指定された印刷用紙を選択し（処理５１２）、受信した印刷データを記録出力する（処理５１３）。次いで、次いで、処理５０９へ進み、それ以降の処理を実行する。
【００７９】
このようにして、本実施例では、ネットワーク複合機ＭＦＰでの印刷動作が連続する場合、後続の印刷動作にかかる用紙サイズと記録方向が、最初の印刷動作にかかる用紙サイズと記録方向と一致しているときには、回転排出機能を利用して後続の印刷動作にかかる記録紙を排紙するとともに、指定された位置に個人情報を記録するようにしているので、印刷物を受け取りにきたユーザは、自分が指定した印刷動作に関する印刷物を容易に見つけることができ、非常に便利である。
【００８０】
図１２は、この場合に、ネットワーク複合機ＭＦＰが印刷時に行う処理の他の例を示している。
【００８１】
いずれかのワークステーション装置ＷＳ１〜ＷＳｎより印刷要求を受信すると（処理６０１）、続いて、個人情報付加設定情報と、印刷データを受信する（処理６０２，６０３）。
【００８２】
ここで、記憶している直前印刷履歴情報を取得して（処理６０４）、処理６０３で受信した印刷データで指定されている用紙のサイズと記録方向（「横長」または「縦長」）と、直前印刷履歴情報の用紙サイズと記録方向が一致するかどうかを調べる（判断６０５）。
【００８３】
判断６０５の結果がＹＥＳになるときには、プロッタ６の排紙部に用紙が検出されているかどうかを調べる（判断６０６）。判断６０６の結果がＹＥＳになるときには、指定された印刷用紙を９０度回転した態様の印刷用紙を選択し（処理６０７）、受信した個人情報付加設定情報で個人情報を付加する旨が指定されているかどうかを調べる（判断６０８）。
【００８４】
判断６０８の結果がＹＥＳになるときには、受信した印刷データを９０度回転した態様の印刷動作を行うとともに、指定された位置に、個人情報の表示情報を印刷する（この印刷も９０度回転した態様となる）（処理６０９）。
【００８５】
そして、そのときの印刷結果をワークステーション装置ＷＳ１〜ＷＳｎへ通知し（処理６１０）、そのときの印刷動作の内容で、直前印刷履歴情報の内容を更新して（処理６１１）、一連の印刷動作を終了する。
【００８６】
また、判断６０８の結果がＮＯになるときには、受信した印刷データを９０度回転した態様の印刷動作を行う（処理６１２）。次いで、処理６１０へ進み、それ以降の処理を実行する。
【００８７】
また、判断６０５の結果がＮＯになるとき、および、判断６０６の結果がＮＯになるときには、指定された印刷用紙を選択し（処理６１３）、受信した印刷データを記録出力する（処理６１４）。次いで、次いで、処理６１０へ進み、それ以降の処理を実行する。
【００８８】
このようにして、本実施例では、ネットワーク複合機ＭＦＰでの印刷動作が連続する場合、後続の印刷動作にかかる用紙サイズと記録方向が、最初の印刷動作にかかる用紙サイズと記録方向と一致しており、かつ、排紙部に用紙が検出されているときには、回転排出機能を利用して後続の印刷動作にかかる記録紙を排紙するとともに、指定された位置に個人情報を記録するようにしているので、印刷物を受け取りにきたユーザは、自分が指定した印刷動作に関する印刷物を容易に見つけることができ、非常に便利である。
【００８９】
図１３は、この場合に、ネットワーク複合機ＭＦＰが印刷時に行う処理のさらに他の例を示している。この場合、上述したインターバル時間を設定した場合の処理例である。
【００９０】
いずれかのワークステーション装置ＷＳ１〜ＷＳｎより印刷要求を受信すると（処理７０１）、続いて、個人情報付加設定情報と、印刷データを受信する（処理７０２，７０３）。
【００９１】
ここで、インターバルタイマの計時値が、設定値以上になっているかどうかを調べる（判断７０４）。
【００９２】
判断７０４の結果がＹＥＳになるときには、記憶している直前印刷履歴情報を取得して（処理７０５）、処理７０３で受信した印刷データで指定されている用紙のサイズと記録方向（「横長」または「縦長」）と、直前印刷履歴情報の用紙サイズと記録方向が一致するかどうかを調べる（判断７０６）。
【００９３】
判断７０６の結果がＹＥＳになるときには、プロッタ６の排紙部に用紙が検出されているかどうかを調べる（判断７０７）。判断７０７の結果がＹＥＳになるときには、指定された印刷用紙を９０度回転した態様の印刷用紙を選択し（処理７０８）、受信した個人情報付加設定情報で個人情報を付加する旨が指定されているかどうかを調べる（判断７０９）。
【００９４】
判断７０９の結果がＹＥＳになるときには、受信した印刷データを９０度回転した態様の印刷動作を行うとともに、指定された位置に、個人情報の表示情報を印刷する（この印刷も９０度回転した態様となる）（処理７１０）。
【００９５】
そして、そのときの印刷結果をワークステーション装置ＷＳ１〜ＷＳｎへ通知し（処理７１１）、そのときの印刷動作の内容で、直前印刷履歴情報の内容を更新し（処理７１２）、インターバルタイマを起動し（処理７１３）、一連の印刷動作を終了する。
【００９６】
また、判断７０９の結果がＮＯになるときには、受信した印刷データを９０度回転した態様の印刷動作を行う（処理７１４）。次いで、処理７１１へ進み、それ以降の処理を実行する。
【００９７】
また、判断７０４の結果がＮＯになるとき、判断７０６の結果がＮＯになるとき、および、判断７０７の結果がＮＯになるときには、指定された印刷用紙を選択し（処理７１５）、受信した印刷データを記録出力する（処理７１６）。次いで、次いで、処理７１１へ進み、それ以降の処理を実行する。
【００９８】
このようにして、本実施例では、ネットワーク複合機ＭＦＰでの印刷動作が連続する場合、後続の印刷動作までの時間が指定されたインターバル時間よりも長く、かつ、後続の印刷動作にかかる用紙サイズと記録方向が、最初の印刷動作にかかる用紙サイズと記録方向と一致しており、かつ、排紙部に用紙が検出されているときには、回転排紙機能を利用して後続の印刷動作にかかる記録紙を排紙するとともに、指定された位置に個人情報を記録するようにしているので、印刷物を受け取りにきたユーザは、自分が指定した印刷動作に関する印刷物を容易に見つけることができ、非常に便利である。
【００９９】
また、ネットワーク複合機ＭＦＰでの印刷動作が連続する場合で、後続の印刷動作までの時間が指定されたインターバル時間よりも短い場合には、同一ユーザが連続して印刷要求した場合が考えられるので、このような場合には通常の印刷動作を行う。
【０１００】
なお、上述した実施例では、ネットワークプリンタ機能と複写機能を備えたネットワーク複合機ＭＦＰについて本発明を適用したが、本発明は、少なくともネットワークプリンタ機能を備えているネットワーク画像形成装置であれば、適用することができる。
【０１０１】
【発明の効果】
以上説明したように、本発明によれば、ネットワーク複合機での印刷動作が連続する場合、後続の印刷動作にかかる用紙サイズと記録方向が、最初の印刷動作にかかる用紙サイズと記録方向と一致しているときには、ドギーテイル機能を利用して後続の印刷動作にかかる記録紙を排紙するとともに、指定された位置に個人情報を記録するようにしているので、印刷物を受け取りにきたユーザは、自分が指定した印刷動作に関する印刷物を容易に見つけることができ、非常に便利であるという効果を得る。
【０１０２】
また、ネットワーク複合機での印刷動作が連続する場合、後続の印刷動作にかかる用紙サイズと記録方向が、最初の印刷動作にかかる用紙サイズと記録方向と一致しており、かつ、排紙部に用紙が検出されているときには、ドギーテイル機能を利用して後続の印刷動作にかかる記録紙を排紙するとともに、指定された位置に個人情報を記録するようにしているので、印刷物を受け取りにきたユーザは、自分が指定した印刷動作に関する印刷物を容易に見つけることができ、非常に便利であるという効果も得る。
【０１０３】
また、ネットワーク複合機での印刷動作が連続する場合、後続の印刷動作までの時間が指定されたインターバル時間よりも長く、かつ、後続の印刷動作にかかる用紙サイズと記録方向が、最初の印刷動作にかかる用紙サイズと記録方向と一致しており、かつ、排紙部に用紙が検出されているときには、ドギーテイル機能を利用して後続の印刷動作にかかる記録紙を排紙するとともに、指定された位置に個人情報を記録するようにしているので、印刷物を受け取りにきたユーザは、自分が指定した印刷動作に関する印刷物を容易に見つけることができ、非常に便利であるという効果も得る。
【０１０４】
また、ネットワーク複合機での印刷動作が連続する場合、後続の印刷動作にかかる用紙サイズと記録方向が、最初の印刷動作にかかる用紙サイズと記録方向と一致しているときには、回転排出機能を利用して後続の印刷動作にかかる記録紙を排紙するとともに、指定された位置に個人情報を記録するようにしているので、印刷物を受け取りにきたユーザは、自分が指定した印刷動作に関する印刷物を容易に見つけることができ、非常に便利であるという効果を得る。
【０１０５】
また、ネットワーク複合機での印刷動作が連続する場合、後続の印刷動作にかかる用紙サイズと記録方向が、最初の印刷動作にかかる用紙サイズと記録方向と一致しており、かつ、排紙部に用紙が検出されているときには、回転排出機能を利用して後続の印刷動作にかかる記録紙を排紙するとともに、指定された位置に個人情報を記録するようにしているので、印刷物を受け取りにきたユーザは、自分が指定した印刷動作に関する印刷物を容易に見つけることができ、非常に便利であるという効果も得る。
【０１０６】
また、ネットワーク複合機での印刷動作が連続する場合、後続の印刷動作までの時間が指定されたインターバル時間よりも長く、かつ、後続の印刷動作にかかる用紙サイズと記録方向が、最初の印刷動作にかかる用紙サイズと記録方向と一致しており、かつ、排紙部に用紙が検出されているときには、回転排出機能を利用して後続の印刷動作にかかる記録紙を排紙するとともに、指定された位置に個人情報を記録するようにしているので、印刷物を受け取りにきたユーザは、自分が指定した印刷動作に関する印刷物を容易に見つけることができ、非常に便利であるという効果も得る。
【図面の簡単な説明】
【図１】本発明の一実施例にかかるネットワークシステムを示したブロック図。
【図２】ネットワーク複合機ＭＦＰの構成例を示したブロック図。
【図３】ドギーテイル機能の排出態様を説明するための概略図。
【図４】プリンタドライバの個人情報付加に関する設定画面等の一例を示した概略図。
【図５】個人情報付加設定情報および直前印刷履歴情報の一例を示した概略図。
【図６】ワークステーション装置ＷＳ１〜ＷＳｎがネットワーク複合機ＭＦＰに対して印刷動作を要求する場合の処理の一例を示したフローチャート。
【図７】ネットワーク複合機ＭＦＰが印刷時に行う処理の一例を示したフローチャート。
【図８】ネットワーク複合機ＭＦＰが印刷時に行う処理の他の例を示したフローチャート。
【図９】ネットワーク複合機ＭＦＰが印刷時に行う処理のさらに他の例を示したフローチャート。
【図１０】回転排出機能を説明するための概略図。
【図１１】ネットワーク複合機ＭＦＰが印刷時に行う処理の別な例を示したフローチャート。
【図１２】ネットワーク複合機ＭＦＰが印刷時に行う処理の別な他の例を示したフローチャート。
【図１３】ネットワーク複合機ＭＦＰが印刷時に行う処理の別なさらに他の例を示したフローチャート。
【符号の説明】
ＭＦＰ  ネットワーク複合機
ＷＳ１〜ＷＳｎ  ワークステーション装置
【図１】
2005025585.tif 000003
【図２】
2005025585.tif 000004
【図３】
2005025585.tif 000005
【図４】
2005025585.tif 000006
【図５】
2005025585.tif 000007
【図６】
2005025585.tif 000008
【図７】
2005025585.tif 000009
【図８】
2005025585.tif 000010
【図９】
2005025585.tif 000011
【図１０】
2005025585.tif 000012
【図１１】
2005025585.tif 000013
【図１２】
2005025585.tif 000014
【図１３】
2005025585.tif 000015